(57)【特許請求の範囲】
【請求項１】
ケーシング（１３）に収納される貯湯タンク（１１）又は前記貯湯タンクから延びる水配管（３１，５３ｂ）からの排水の流れる排水管（３４，５３ｃ，８０）が接続されるものであり、前記ケーシングの底面（１３ｇ）に固定される排水管継手であって、
前記排水管を流れる水を受け入れる第１受入部（７５）と、
前記第１受入部から受け入れた水を外部に排出するための排出口（７４）が形成されている排出部（７２）と、
前記第１受入部と前記排出部との間に介在し、略水平方向に延びる中間部（７３）と、
を備え、
前記中間部は、前記排出口から排出される水の流れる導水路（７８ｂ）と、前記中間部の大部分が前記底面と接触しないように下方に突出して前記底面と接触する接触部（７３ａ）と、を有しており、
前記導水路の底面（Ｆ）は、前記排出部側が低くなるように水平面に対して所定角度だけ傾斜している、
排水管継手（７０）。
【請求項２】
前記第１受入部は、前記排水管の第１配管（３４）が接続されており、
前記第１配管とは別の前記排水管の第２配管（５３ｃ，８０）を流れる水を受け入れる第２受入部（７６，７７）を更に備える、
請求項１に記載の排水管継手。
【請求項３】
前記第１受入部は、前記排出部に対向しないように配置されている、
請求項２に記載の排水管継手。
【請求項４】
前記第１受入部は、前記貯湯タンク内の水が加熱される時に発生する膨張水を受け入れる、
請求項１から３のいずれか１項に記載の排水管継手。
【請求項５】
前記所定角度は、１度以上４度以下である、
請求項１から４のいずれか１項に記載の排水管継手。
【請求項６】
前記導水路の底面は、前記排出口から排出される水の流れる流れ方向に沿って低くなるように傾斜しており、かつ、前記流れ方向に交差する方向の中央部側が端部側よりも低くなるように傾斜している、
請求項１から５のいずれか１項に記載の排水管継手。
【請求項７】
前記第１受入部は、上向きに延びており、
前記排出部は、下向きに延びている、
請求項１から６のいずれか１項に記載の排水管継手。
【請求項８】
前記導水路は、前記第１受入部を含む第１ケーシング（７０ａ）と、前記排出部を含む第２ケーシング（７０ｂ）とを連結することで形成される、
請求項１から７のいずれか１項に記載の排水管継手。
【発明の詳細な説明】
【技術分野】
【０００１】
本発明は、排水管が接続される排水管継手に関する。
【背景技術】
【０００２】
従来より、貯湯タンクから延びる排水管が接続される排水管継手がある。例えば、特許文献１（特開２０１０−２０６１号公報）に開示されている貯湯ユニットの排水栓（排水管継手に相当）には、貯湯タンクから延びる複数の排水管が接続されている。また、排水栓には、複数の排水管から排水栓内に流れ込んだ水を貯湯ユニット外に排出するための排水口が形成されている。
【発明の概要】
【発明が解決しようとする課題】
【０００３】
ところで、特許文献１に開示されている排水栓では、排水管と排水栓との接続部から排水口に到るまでの水の通路である導水路の底面が、略水平となるように構成されている。このように、導水路が略水平に構成されている場合、排水管から導水路内に流入した水が、排水口まで流れず、導水路内に溜まるおそれがある。このような場合、排水口が冷たい外気と接触することで、導水路内に溜まった水が凍結してしまうおそれがある。そして、導水路内に溜まった水が凍結して氷が発生した場合、発生した氷に更に水が触れることで、導水路内で氷が成長し、導水路が閉塞するおそれがある。また、導水路内で凍結と解凍とが繰り返されて排水管継手が劣化し、製品寿命が短くなるおそれがある。
【０００４】
そこで、本発明の課題は、導水路が閉塞するおそれを低減することができ、かつ、劣化するおそれを低減することができる排水管継手を提供することにある。
【課題を解決するための手段】
【０００５】
本発明の第１観点に係る排水管継手は、ケーシングに収納される貯湯タンク又は貯湯タンクから延びる水配管からの排水の流れる排水管が接続されるものでありケーシングの底面に固定される排水管継手であって、第１受入部と、排出部と、中間部と、を備えている。第１受入部は、排水管を流れる水を受け入れる。排出部には、第１受入部から受け入れた水を、外部に排出するための排出口が形成されている。中間部は、第１受入部と排出部との間に介在している。また、中間部は、略水平方向に延びている。さらに、中間部は、排出口から排出される水の流れる導水路と、中間部の大部分が底面と接触しないように下方に突出して底面と接触する接触部とを有している。また、導水路の底面は、排出部側が低くなるように水平面に対して所定角度だけ傾斜している。
【０００６】
本発明の第１観点に係る排水管継手では、導水路の底面が、排出部側が低くなるように水平面に対して所定角度だけ傾斜している。このため、導水路内を流れる水が排出口に向かって流れやすくなる。したがって、導水路内に水が溜まりにくくなるため、導水路内で水が凍結するおそれを低減することができる。このように、この排水管継手では、導水路内で水が凍結するおそれを低減することができるため、氷の発生及び成長を抑制することができ、導水路が閉塞するおそれを低減することができる。また、この排水管継手では、導水路内で水が凍結するおそれを低減することができるため、導水路内で水の凍結と解凍とが繰り返されるおそれを低減することができ、劣化するおそれを低減することができる。
【０００７】
本発明の第２観点に係る排水管継手は、第１観点の排水管継手において、第１受入部は、排水管の第１配管が接続されている。また、第２受入部を更に備える。第２受入部は、第１配管とは別の排水管の第２配管を流れる水を受け入れる。この排水管継手では、複数の排水管から流れてきた水を、１つの排出口から外部に排出することができる。
【０００８】
なお、排水管には、例えば、金属配管、樹脂配管、ゴムホース、及び、チューブが含まれる。
【０００９】
本発明の第３観点に係る排水管継手は、第２観点の排水管継手において、第１受入部は、排出部に対向しないように配置されている。この排水管継手では、導水路の底面が、排出部側が低くなるように水平面に対して所定角度だけ傾斜しているため、第１受入部と排出部とが対向するように配置されていなくても、第１受入部から受け入れた水を、排出口から外部に排出しやすくすることができる。
【００１０】
本発明の第４観点に係る排水管継手は、第１観点から第３観点のいずれかの排水管継手において、第１受入部は、貯湯タンク内の水が加熱される時に発生する膨張水を受け入れる。この排水管継手では、貯湯タンク内の水が加熱される毎に、温度の高い膨張水が第１受入部から受け入れられて導水路内を流れることになる。このため、導水路内で水が凍結している場合には、貯湯タンク内の水が加熱される毎に、導水路内の水が解凍されることとなり、排水管継手の劣化が促進されるおそれがある。ここで、この排水管継手では、導水路の底面が、排出部側が低くなるように水平面に対して所定角度だけ傾斜しているため、導水路内に水が溜まりにくくなっていることで、導水路内での水の凍結が抑制されている。したがって、この排水管継手では、導水路内を温度の高い水が流れても、劣化が促進されるおそれを低減することができる。
【００１１】
本発明の第５観点に係る排水管継手は、第１観点から第４観点のいずれかの排水管継手において、所定角度は、１度以上４度以下である。このため、例えば、排水管継手の固定される筐体が水平に設置されなくても、導水路内に水が溜まるおそれを低減することができる。
【００１２】
本発明の第６観点に係る排水管継手は、第１観点から第５観点のいずれかの排水管継手において、導水路の底面は、排出口から排出される水の流れる流れ方向に沿って低くなるように傾斜しており、かつ、前記流れ方向に交差する方向の中央部側が端部側よりも低くなるように傾斜している。このため、例えば、導水路の底面が、排出口から排出される水の流れる流れ方向に沿って低くなるように傾斜しているが、流れ方向に交差する方向の中央部側が端部側よりも低くなるように傾斜していない排水管継手と比較して、導水路内に水が溜まるおそれをより低減することができる。
【００１３】
本発明の第７観点に係る排水管継手は、第１観点から第６観点のいずれかの排水管継手において、第１受入部は上向きに延びており、排出部は下向きに延びている。
【００１４】
本発明の第８観点に係る排水管継手は、第１観点から第７観点のいずれかの排水管継手において、導水路は、第１受入部を含む第１ケーシングと、排出部を含む第２ケーシングとを連結することで形成される。
【発明の効果】
【００１５】
本発明の第１観点に係る排水管継手では、導水路が閉塞するおそれを低減することができ、かつ、劣化するおそれを低減することができる。
【００１６】
本発明の第２観点に係る排水管継手では、複数の排水管から流れてきた水を、１つの排出口から外部に排出することができる。
【００１７】
本発明の第３観点に係る排水管継手では、第１受入部から受け入れた水を、排出口から外部に排出しやすくすることができる。
【００１８】
本発明の第４観点に係る排水管継手では、導水路内を温度の高い水が流れても、劣化が促進されるおそれを低減することができる。
【００１９】
本発明の第５観点に係る排水管継手では、排水管継手の固定される筐体が水平に設置されなくても、導水路内に水が溜まるおそれを低減することができる。
【００２０】
本発明の第６観点に係る排水管継手では、導水路内に水が溜まるおそれを低減することができる。
【００２１】
本発明の第７観点に係る排水管継手では、第１受入部は上向きに延びており、排出部は下向きに延びている。
【００２２】
本発明の第８観点に係る排水管継手では、導水路は、第１受入部を含む第１ケーシングと、排出部を含む第２ケーシングとを連結することで形成される。
【図面の簡単な説明】
【００２３】
【図１】貯湯ユニットの配管系統図。
【図２】貯湯ユニットの外観図であって、（ａ）貯湯ユニットの正面図、（ｂ）貯湯ユニットの側面図。
【図３】排水用三方弁の外観斜視図。
【図４】排水用三方弁の断面図。
【図５】排水用三方弁の操作部の位置と、配管の接続状態とを説明するための図。
【図６】排水用三方弁及び配管継手がケーシングに取り付けられた状態を示す図。
【図７】排水用三方弁及び配管継手がケーシングに取り付けられた状態を示す図。
【図８】排水用三方弁及び配管継手がケーシングに取り付けられた状態を示す図。
【図９】本発明の一実施形態に係る配管継手の外観斜視図。
【図１０】第１ケーシングの側面図。
【図１１】第２ケーシングの側面図。
【図１２】配管継手の側面図。
【図１３】配管継手の縦断面図。
【図１４】排水用三方弁と配管継手とが排出配管によって接続された状態を示す図。
【図１５】変形例Ｃに係る配管継手の第２ケーシングを斜め上方から視た図。
【図１６】変形例Ｃに係る配管継手であって、（ａ）配管継手の概略縦断面図、（ｂ）第２ケーシングの概略縦断面図（図１５のXVI-XVI断面に相当）。
【発明を実施するための形態】
【００２４】
以下、図面を参照しながら、本発明の一実施形態に係る配管継手（排水管継手に相当）７０を有する貯湯ユニット１０を備える貯湯式給湯装置について説明する。なお、以下の実施形態は、本発明の具体例であって、本発明の技術的範囲を限定するものではない。
【００２５】
（１）貯湯式給湯装置の構成
貯湯式給湯装置は、加熱手段（本実施形態では、ヒートポンプユニット１００）により沸き上げられた温度の高い水（以下より、常温の水よりも温度の高い水を湯という）、又は、水を、貯湯ユニット１０の備える貯湯タンク１１に貯湯し、その貯湯した湯及び水（以下、湯水という）を、利用者の操作に応じて、浴槽１８に供給したり、又は、浴槽１８以外の供給部（例えば、シャワーや台所の蛇口等）１６に供給したりするものである。
【００２６】
また、この貯湯式給湯装置は、主に、ヒートポンプユニット１００と、貯湯ユニット１０と、制御装置（図示せず）と、を備えている（図１参照）。以下に、貯湯式給湯装置の備える各種構成部品について説明する。
【００２７】
（２）ヒートポンプユニットの構成
ヒートポンプユニット１００は、湯を作り出すための熱源装置として電力を得て機能する。具体的には、ヒートポンプユニット１００は、冷媒（例えば、二酸化炭素冷媒等）が循環する冷媒回路を備えている。また、冷媒回路では、圧縮機の吐出側、水熱交換器の冷媒側、内部熱交換器内の高圧側、膨張弁、空気熱交換器、内部熱交換器内の低圧側、圧縮機の吸入側、の順に各機器が接続されており、内部に冷媒を循環させている。
【００２８】
内部熱交換器は、高圧側の配管を流れる冷媒と、低圧側の配管を流れる冷媒と、の間で熱交換を行わせる。水熱交換器は、冷媒管を有しており、圧縮機によって吐出され冷媒管に流入した高温の冷媒と、後述する貯湯ユニット１０の貯湯往き管２１から水管２５に流入した湯水と、の間で熱交換を行わせる。この水熱交換器における熱交換によって、冷媒管を通過する冷媒が冷却され、水管２５を通過する湯水が加熱されることで、後述する貯湯ユニット１０の貯湯戻り管２２に流入する湯水の温度を上げることができる。この結果、貯湯ユニット１０の貯湯戻り管２２には、貯湯往き管２１を流れる湯水の温度よりも高い温度の湯水が流れることになる。
【００２９】
また、ヒートポンプユニット１００は、各種センサを備えている。各種センサとしては、冷媒に関する温度や圧力を検知するセンサ等がある。具体的には、各種センサとしては、圧縮機の吸入側を通過する冷媒圧力を検知する吸入圧力センサ、圧縮機の吸入側を通過する冷媒温度を検知する吸入サーミスタ、圧縮機の吐出側を通過する冷媒圧力を検知する吐出圧力センサ、圧縮機の吐出側を通過する冷媒温度を検知する吐出サーミスタ、水熱交換器を通過することで冷却された冷媒の温度を検知する水熱交換後冷媒サーミスタ、外気の温度を検知する外気サーミスタ、及び、空気熱交換器において加熱された後の冷媒の温度を検知する空気熱交換後冷媒サーミスタ等があり、これら各種センサは、制御装置が検知値を把握可能なように設けられている。
【００３０】
（３）貯湯ユニットの構成
貯湯ユニット１０は、市水等の外部から供給される常温の水をヒートポンプユニット１００から得られる熱によって加熱し、蓄えつつ、利用する装置である。また、貯湯ユニット１０は、図１に示すように、貯湯タンク１１、貯湯用循環回路２０、追焚熱交換器１２、追焚熱源回路３０、追焚利用回路４０、給湯配管系５０、排水用三方弁６０、及び、配管継手７０等を備えている。
【００３１】
図２は、貯湯ユニット１０の外観図である。貯湯ユニット１０は、図２に示すように、略直方体形状を呈するケーシング１３を備えている。ケーシング１３は、天板１３ａ、フロントパネル１３ｂ、第１側板１３ｃ、第２側板１３ｄ、後板１３ｅ、前板１３ｆ、及び、底板１３ｇから構成されている。また、貯湯タンク１１、貯湯用循環回路２０の一部、追焚熱交換器１２、追焚熱源回路３０、追焚利用回路４０、給湯配管系５０の一部、及び、配管継手７０の一部は、ケーシング１３内に収納されている（図１参照）。
【００３２】
（３−１）貯湯タンク
貯湯タンク１１は、ヒートポンプユニット１００由来の熱によって得られる湯、及び水を、利用者に利用される前から予め蓄えておくためのタンクである。貯湯タンク１１は、例えば、円筒形状に形成されており、内部に湯水を溜めることができる。
【００３３】
また、貯湯タンク１１の上部には、水温サーミスタＴ１が配設されており、貯湯タンク１１の側面には、複数の残湯量サーミスタＴ２〜Ｔ６が、上下に渡って所定の間隔をあけて配設されている。水温サーミスタＴ１及び残湯量サーミスタＴ２〜Ｔ６は、貯湯タンク１１内の湯水の温度を測定するものである。また、水温サーミスタＴ１及び残湯量サーミスタＴ２〜Ｔ６は、それぞれ、貯湯タンク１１の残湯量に対応する高さ位置に配設されている。
【００３４】
（３−２）貯湯用循環回路
貯湯用循環回路２０は、貯湯タンク１１内の湯水に対してヒートポンプユニット１００で得られる熱を伝えるための回路であり、貯湯往き管２１、貯湯戻り管２２、沸き上げポンプＰ１、及び、沸き上げ三方弁２４を有している。
【００３５】
貯湯往き管２１は、貯湯タンク１１の下端部近傍と、ヒートポンプユニット１００内に位置する水熱交換器の水管２５の上流側端部とを接続する配管である。また、貯湯往き管２１は、貯湯タンク１１の下端部近傍と排水用三方弁６０とを接続する第１貯湯往き管２１ａと、排水用三方弁６０とヒートポンプ循環往き口１０ａとを接続する第２貯湯往き管２１ｂと、ヒートポンプ循環往き口１０ａと水熱交換器の水管２５の上流側端部とを接続する第３貯湯往き管２１ｃと、を含む。第２貯湯往き管２１ｂの途中には、沸き上げポンプＰ１が配設されている。沸き上げポンプＰ１は、排水用三方弁６０からの湯水をヒートポンプ循環往き口１０ａ側に送り出すためのポンプである。
【００３６】
貯湯戻り管２２は、水熱交換器の水管２５の下流側端部と貯湯タンク１１の上端部近傍及び下端部近傍とを接続する配管である。また、貯湯戻り管２２は、水熱交換器の水管２５の下流側端部とヒートポンプ循環戻り口１０ｂとを接続する第１貯湯戻り管２２ａと、ヒートポンプ循環戻り口１０ｂと沸き上げ三方弁２４とを接続する第２貯湯戻り管２２ｂと、沸き上げ三方弁２４と貯湯タンク１１の上端部とを接続する第３貯湯戻り管２２ｃと、沸き上げ三方弁２４と貯湯タンク１１の下端部とを接続する第４貯湯戻り管２２ｄと、を含む。
【００３７】
沸き上げ三方弁２４は、電動モータによりその弁体の開度が調整される電動式の弁である。沸き上げ三方弁２４は、制御装置の制御によりその弁体の開度が調整されることで、第１貯湯戻り管２２ａ側から第２貯湯戻り管２２ｂ側に流入する湯を、第３貯湯戻り管２２ｃに流して貯湯タンク１１の上端部から貯湯タンク１１内に流出させたり、第４貯湯戻り管２２ｄに流して貯湯タンク１１の下端部から貯湯タンク１１内に流出させたりする。
【００３８】
貯湯用循環回路２０では、沸き上げポンプＰ１が制御装置の制御により駆動することで、貯湯タンク１１内の湯水のうち下方に存在している温度の低い湯水を、貯湯往き管２１に流出させ、水熱交換器の水管２５を通過させることで温度上昇させつつ、貯湯戻り管２２を介して貯湯タンク１１の上端部近傍、或いは、貯湯タンク１１の下端部近傍に戻している。これにより、貯湯タンク１１内の湯水の温度を、比較的高温にすることができる。
【００３９】
（３−３）排水用三方弁
排水用三方弁６０は、図３及び図４に示すように、弁本体６１と、弁本体６１内に収納される弁体６２と、弁体６２の状態や弁開度を調整するための操作部６３と、を有する。弁本体６１は、第１貯湯往き管２１ａの下流側端部を接続するための接続部６１ｂと、第２貯湯往き管２１ｂの上流側端部を接続するための接続部６１ｃと、後述する排出配管８０の上流側端部を接続するための接続部６１ａと、を含む。操作部６３は、ハンドル６３ａと、ハンドル６３ａに連結されているシャフト６３ｂと、を含む。弁体６２は、シャフト６３ｂに連結されており、操作部６３が利用者等によって手動操作されることで、貯湯タンク１１から配管継手７０に向かって流れる湯水の流路を開閉する。具体的には、弁体６２は、操作部６３が操作されることで、図５に示すように、第１貯湯往き管２１ａと第２貯湯往き管２１ｂとを連通させる第１状態（図５ａ参照）と、第１貯湯往き管２１ａの下流側端部を閉塞する第２状態（図５ｂ参照）と、第１貯湯往き管２１ａと排出配管８０とを連通させる第３状態（図５ｃ参照）と、に切り換わる。弁体６２が第１状態を採る場合には、第１貯湯往き管２１ａ側から流れてきた湯水が排出配管８０側に向かう流路が閉塞され、第１貯湯往き管２１ａ側から流れてきた湯水は、第２貯湯往き管２１ｂ側に流出する。また、弁体６２が第３状態を採る場合には、第１貯湯往き管２１ａ側から流れてきた湯水が第２貯湯往き管２１ｂ側に向かう流路が閉塞され、第１貯湯往き管２１ａ側から流れてきた湯水は、排出配管８０側に流出し、排水口７４に向かう。さらに、弁体６２が第２状態を採る場合には、第１貯湯往き管２１ａ側から流れてきた湯水が排出配管８０側に向かう流路、及び、第１貯湯往き管２１ａ側から流れてきた湯水が第２貯湯往き管２１ｂ側に向かう流路が閉塞され、第１貯湯往き管２１ａ側から流れてきた湯水は、第２貯湯往き管２１ｂ及び排出配管８０に流出しないようになる。なお、排水用三方弁６０は、通常時（沸き上げ運転時を含む）は、弁体６２が第１状態を採るように調整されている。
【００４０】
また、排水用三方弁６０は、弁本体６１及びシャフト６３ｂの一部がケーシング１３の内側に位置し、ハンドル６３ａ及びシャフト６３ｂの他部がケーシング１３の外側に位置するように、取付板１９を介して前板１３ｆに固定されている（図４、図６、図７及び図８参照）。
【００４１】
（３−４）追焚熱交換器
追焚熱交換器１２は、貯湯タンク１１内の湯水が巡回する熱源管１２ａと、ケーシング１３外の浴槽１８にはられた湯又は水が循環する利用管１２ｂと、を有している。追焚熱交換器１２では、熱源管１２ａを流れる湯水と、利用管１２ｂを流れる湯又は水と、の間で熱交換を行わせることで、利用管１２ｂを流れる湯又は水の温度を上げることができる。
【００４２】
（３−５）追焚熱源回路
追焚熱源回路３０は、ケーシング１３外の浴槽１８にはられた湯又は水の温度を、貯湯タンク１１に蓄えられている湯水の有している熱を利用して、さらに上げるための熱源供給側の回路である。追焚熱源回路３０は、主に、熱源往き管３１、熱源戻り管３２、及び、熱源ポンプＰ３を有している。
【００４３】
熱源往き管３１は、貯湯タンク１１の上端部近傍と追焚熱交換器１２内の熱源管１２ａの上流側端部とを接続している。また、熱源往き管３１には、貯湯タンク１１側から流入した湯水の逆流を防止するための逆止弁Ｂ１が配設されている。なお、逆止弁Ｂ１は、熱源往き管３１の貯湯タンク１１と分岐点Ｎ１との間に配設されている。熱源戻り管３２は、追焚熱交換器１２内の熱源管１２ａの下流側端部と貯湯タンク１１の下端部近傍とを接続している。熱源ポンプＰ３は、熱源戻り管３２の途中に配設されている。
【００４４】
追焚熱源回路３０では、熱源ポンプＰ３が制御装置の制御により駆動することで、貯湯タンク１１内の湯水のうち上部に存在している高温の湯水を、熱源往き管３１に流出させ、追焚熱交換器１２内の熱源管１２ａを通過させることで温度低下させつつ、熱源戻り管３２を介して貯湯タンク１１の下端近傍に戻している。
【００４５】
また、追焚熱源回路３０は、沸き上げ運転時に発生する高温の膨張水を排水口７４に導くための第１排水管３４を有している。第１排水管３４は、熱源往き管３１の分岐点Ｎ１に分岐接続されており、後述する配管継手７０の第１受入部７５に接続されている。なお、本実施形態では、第１排水管３４はゴムホースであるが、これに限定されず、第１排水管が、金属配管、樹脂配管、及び、チューブのいずれであってもよい。また、第１排水管３４には、負圧作動式逃がし弁３４ａが配設されている。負圧作動式逃がし弁３４ａは、貯湯タンク１１内の水圧が所定の水圧未満の場合には、その弁体を閉塞して、貯湯タンク１１内の湯水が、第１排水管３４を経て排水口７４から貯湯ユニット１０外に排出されることを禁止する。一方、貯湯タンク１１内の水圧が所定の水圧以上の場合は、その弁体を開成して、貯湯タンク１１内の湯水（膨張水）を、第１排水管３４を経て排水口７４から貯湯ユニット１０外に排出するものである。
【００４６】
（３−６）追焚利用回路
追焚利用回路４０は、貯湯タンク１１に蓄えられている湯水の有している熱を、追焚熱源回路３０を介して得るための回路である。また、追焚利用回路４０は、主に、利用往き管４１、利用戻り管４２、利用ポンプＰ２、外部配管４３，４５、及び、浴槽接続アダプター４４を有している。
【００４７】
利用往き管４１の一方の端部は、ふろ循環戻り口１０ｃを介して、外部配管４３に接続されている。また、利用往き管４１の他端部は、追焚熱交換器１２内の利用管１２ｂの上流側端部に接続されている。また、利用往き管４１には、通過する湯又は水の温度を検知するためのふろサーミスタＴ７が設けられている。さらに、利用ポンプＰ２は、利用往き管４１の途中に設けられている。
【００４８】
利用戻り管４２の一方の端部は、ふろ循環往き口１０ｄを介して、外部配管４５と接続されている。また、利用戻り管４２の他端部は、追焚熱交換器１２内の利用管１２ｂの下流側端部と接続されている。
【００４９】
外部配管４３は、利用往き管４１と浴槽接続アダプター４４とを接続している。外部配管４５は、利用戻り管４２と浴槽接続アダプター４４とを接続している。また、浴槽接続アダプター４４は、浴槽１８内に配置されており、浴槽１８内に湯を流出させたり、浴槽１８内から湯又は水を取り込んだりするものである。なお、外部配管４３，４５及び浴槽接続アダプター４４は、図１に示すように、ケーシング１３外に配置されている。
【００５０】
追焚利用回路４０では、利用ポンプＰ２が制御装置の制御により駆動することで、浴槽１８の湯又は水を、浴槽接続アダプター４４を介して外部配管４３側から利用往き管４１側に流出させ、追焚熱交換器１２内の利用管１２ｂを通過させることで温度上昇させつつ、利用戻り管４２及び外部配管４５を介して浴槽１８に戻している。これにより、浴槽１８の湯又は水の温度を上げることができ、追い炊きを実行することができる。
【００５１】
（３−７）給湯配管系
給湯配管系５０は、外部の市水等から水の供給を受けつつ、貯湯タンク１１に蓄えられている湯水を利用するための経路であって、給水管５１、出湯管５２、供給管５３、給湯混合弁５４、及び、お湯はり混合弁５５を有している。
【００５２】
給水管５１は、外部の市水等から供給される水の流れる配管であって、第１給水管５１ａと、第２給水管５１ｂと、第３給水管５１ｃと、を有する。
【００５３】
第１給水管５１ａは、貯湯ユニット１０外部の水源から供給される水が流れる外部給水管１７と、給湯混合弁５４とを接続している。外部給水管１７と第１給水管５１ａとは、給水接続口１０ｅを介して接続されている。第１給水管５１ａは、外部の水源から供給される常温の水を、分岐点Ｎ２，Ｎ３を介して、給湯混合弁５４に導く。また、第１給水管５１ａには、給水接続口１０ｅと分岐点Ｎ２との間に、逆止弁付きストレーナと、給水接続口１０ｅ側から流入した水の水圧を所定の水圧に減圧する減圧弁Ｒとが配設されている。逆止弁付きストレーナは、給水接続口１０ｅ側から流入した水に含まれるゴミを取るためのストレーナＳと、給水接続口１０ｅ側から流入した水の逆流を防止するための逆止弁Ｂ２とを含む。さらに、第１給水管５１ａには、分岐点Ｎ２近傍に、第１給水管５１ａを流れる水の温度を検出する水温サーミスタＴ８が配設されている。また、第１給水管５１ａには、給湯混合弁５４と分岐点Ｎ３との間に、分岐点Ｎ３側から流れてきた水の逆流を防止するための逆止弁Ｂ３が配設されている。
【００５４】
第２給水管５１ｂは、第１給水管５１ａの分岐点Ｎ３に分岐接続されており、第１給水管５１ａとお湯はり混合弁５５とを接続している。第２給水管５１ｂは、外部の水源から供給される常温の水を、第１給水管５１ａの分岐点Ｎ２，Ｎ３を介して、お湯はり混合弁５５に導く。
【００５５】
第３給水管５１ｃは、第１給水管５１ａの分岐点Ｎ２に分岐接続されており、第１給水管５１ａと貯湯タンク１１の下端部とを接続している。第３給水管５１ｃは、外部の水源から供給される常温の水を、第１給水管５１ａの分岐点Ｎ２を介して、貯湯タンク１１の下端近傍に導く。また、第３給水管５１ｃには、分岐点Ｎ２側から流入した水の逆流を防止するための逆止弁Ｂ４が配設されている。なお、外部給水管１７から第１給水管５１ａに流入する水は、その水圧により、分岐点Ｎ２を介して第３給水管５１ｃを流れて貯湯タンク１１に供給される。この結果、貯湯タンク１１は、常に満水状態に保たれている。
【００５６】
出湯管５２は、貯湯タンク１１内の湯水を浴槽１８以外の供給先である供給部１６に供給するための第１出湯管５２ａと、貯湯タンク１１内の湯水を浴槽１８に供給するための第２出湯管５２ｂと、を有する。
【００５７】
第１出湯管５２ａは、貯湯タンク１１の上端部と、給湯混合弁５４とを接続している。また、第１出湯管５２ａには、貯湯タンク１１に蓄えられている湯水のうち、上端部近傍に存在している比較的温度の高い湯水が流れる。また、第１出湯管５２ａには、貯湯タンク１１側から流入した湯水の逆流を防止するための逆止弁Ｂ５が配設されている。
【００５８】
第２出湯管５２ｂは、熱源往き管３１の分岐点Ｎ４に分岐接続されており、熱源往き管３１とお湯はり混合弁５５とを接続している。第２出湯管５２ｂは、貯湯タンク１１に蓄えられている湯水のうち上端部近傍に存在している比較的温度の高い湯水を、熱源往き管３１の一部を介して、お湯はり混合弁５５に導く。
【００５９】
供給管５３は、給水管５１を流れる常温の水と、貯湯タンク１１の上端部近傍から出湯管５２を通じて流れる高温の湯水と、の混合された湯水の流れる配管である。なお、供給管５３内には、第１給水管５１ａを流れる水の温度（常温）と、貯湯タンク１１の上端近傍に存在する湯水の温度と、の間の温度の湯水が流れる。また、供給管５３は、給湯混合弁５４に接続されている第１供給管５３ａと、お湯はり混合弁５５に接続されている第２供給管５３ｂと、を有している。
【００６０】
第１供給管５３ａの給湯混合弁５４に接続されている側の端部とは反対側の端部は、給湯接続口１０ｆを介して、供給部１６から延びる外部配管９９に接続されている。また、第１供給管５３ａには、内部を流れる湯水の水量を検出する給湯水量センサＦＬＳ１と、第１供給管５３ａを流れる湯水の温度を検出する給湯サーミスタＴ９とが配設されている。
【００６１】
第２供給管５３ｂのお湯はり混合弁５５に接続されている端部とは反対側の端部は、利用戻り管４２の分岐点Ｎ５に接続されている。言い換えると、第２供給管５３ｂは、追焚熱源回路３０の熱源往き管３１と、追焚利用回路４０の利用戻り管４２とをバイパスしている。
【００６２】
また、第２供給管５３ｂには、お湯はり水量センサＦＬＳ２と、お湯はりサーミスタＴ１０とが配設されている。お湯はり水量センサＦＬＳ２は、第２供給管５３ｂを流れる湯水の水量を検出するものである。お湯はりサーミスタＴ１０は、第２供給管５３ｂを流れる湯水の温度を検出するためのものである。さらに、第２供給管５３ｂには、複合水弁に含まれるお湯はり電磁弁ＳＶと、２つの逆止弁Ｂ６，Ｂ７とが配設されている。お湯はり電磁弁ＳＶは、電動モータによりその弁体の開度が調整されることで、利用戻り管４２に流入する湯水の水量を調整するものである。逆止弁Ｂ６，Ｂ７は、お湯はり水量センサＦＬＳ２を挟むように配置されている。逆止弁Ｂ６，Ｂ７は、第２供給管５３ｂを流れる湯水のお湯はり混合弁５５側への逆流、又は、浴槽１８からの湯水の逆流を防止する。
【００６３】
また、第２供給管５３ｂの分岐点Ｎ６には、第２供給管５３ｂを流れる湯水を排水口７４に導くための第２排水管５３ｃが分岐接続されている。なお、本実施形態では、第２排水管５３ｃはゴムホースであるが、これに限定されず、第２排水管が、金属配管、樹脂配管、及び、チューブのいずれであってもよい。また、本実施形態では、分岐点Ｎ６は、逆止弁Ｂ６と、お湯はり水量センサＦＬＳ２との間に位置している。さらに、第２排水管５３ｃは、後述する配管継手７０の第２受入部７６と接続されている。そして、第２排水管５３ｃには、複合水弁に含まれる排水弁５９が配設されている。排水弁５９は、その弁体が開成することで、第２供給管５３ｂに溜まった湯水を、第２排水管５３ｃを通じて排水口７４からケーシング１３外に排出するものである。排水弁５９は、電動式に構成されており、制御装置の制御により、その弁体の開度が調整されるようになっている。なお、本実施形態では、排水弁５９の開度調整が制御装置によって為されているが、これに限定されず、排水弁５９が手動式に構成されており、排水弁５９の開度が手動により調整されてもよい。
【００６４】
給湯混合弁５４は、電動モータによりその弁体の開度が調整される電動式の弁である。給湯混合弁５４は、制御装置の制御により、その弁体の開度が調整されることで、第１出湯管５２ａからの湯水と第１給水管５１ａからの水とを所望の混合比率で混合し、その混合した湯水を、第１供給管５３ａ及び外部配管９９を通じて供給部１６に流出させる。
【００６５】
お湯はり混合弁５５は、電動モータによりその弁体の開度が調整される電動式の弁である。お湯はり混合弁５５は、制御装置の制御により、その弁体の開度が調整されることで、第２出湯管５２ｂからの湯水と第２給水管５１ｂからの水とを所望の混合比で混合し、その混合した湯水を、第２供給管５３ｂ及び利用戻り管４２の一部を通じて浴槽１８に流出させる。
【００６６】
（３−８）配管継手
配管継手７０は、貯湯ユニット１０において生じる全排水を集約し、集約した排水が１つの排水口７４からケーシング１３の外部に排出されるように構成されている。具体的には、配管継手７０は、貯湯タンク１１からの湯水（排水）の流れる排出配管８０、貯湯タンク１１から延びる熱源往き管３１からの膨張水（排水）の流れる第１排水管３４、及び、貯湯タンク１１から延びる熱源往き管３１を介した第２供給管５３ｂからの湯水（排水）の流れる第２排水管５３ｃが接続される配管継手である。なお、本実施形態では、配管継手７０は、第１ケーシング７０ａと第２ケーシング７０ｂとがネジ等によって連結されて構成されている（図９、図１０及び図１１参照）。また、本実施形態では、第１ケーシング７０ａ及び第２ケーシング７０ｂは、同じ素材で構成されている。さらに、本実施形態では、排水用三方弁６０と配管継手７０とは、別部材であり、排水用三方弁６０の弁体６２と配管継手７０の排水口７４とは、５０ｍｍ以上離れて配置されるように設計されている。
【００６７】
また、配管継手７０は、図１２及び図１３に示すように、受入部７１と、排出部７２と、中間部７３と、を備えている。配管継手７０は、主に、受入部７１及び中間部７３がケーシング１３内に位置し、排出部７２がケーシング１３外に位置するように、底板１３ｇに固定されている（図６及び図８参照）。この結果、排出部７２に形成されている排水口７４は、ケーシング１３外に露出している。
【００６８】
受入部７１は、第１受入部７５と、第２受入部７６と、第３受入部７７と、を含む。第１受入部７５には、第１排水管３４の端部を接続するための第１接続口７５ａが形成されており、第１受入部７５は、第１排水管３４を流れる膨張水（湯水）を受け入れる。また、第１受入部７５は、第１排水管３４を流れる膨張水（湯水）の通る第１水路７５ｂを有している。第２受入部７６には、第２排水管５３ｃの端部を接続するための第２接続口７６ａが形成されており、第２受入部７６は、第２排水管５３ｃを流れる湯水を受け入れる。また、第２受入部７６は、第２排水管５３ｃを流れる湯水の通る第２水路７６ｂを有している。なお、本実施形態では、第１受入部７５及び第２受入部７６は、図１３に示すように、略鉛直方向に開口している。
【００６９】
第３受入部７７には、排水用三方弁６０に接続されている排出配管８０の端部を接続するための第３接続口７７ａが形成されており、第３受入部７７は、排出配管８０を流れる湯水を受け入れる。また、第３受入部７７は、排水用三方弁６０を介して排出配管８０側から流入する貯湯タンク１１の湯水が通る第３水路７７ｂを有している。なお、本実施形態では、第３受入部７７の第３接続口７７ａは、図１３に示すように、略水平方向に開口している。
【００７０】
ここで、排水用三方弁６０と配管継手７０とを接続している排出配管８０は、銅製の配管であって、図１４に示すように、略Ｓ字状に湾曲した湾曲部８１を有する。また、排出配管８０は、内部に水が溜まらないように、ケーシング１３の底板１３ｇの上側に略水平に配置されている。なお、本実施形態では、排出配管８０の有する湾曲部８１は、略Ｓ字状に湾曲しているが、これに限定されず、例えば、湾曲部８１が、略Ｕ字状に湾曲していてもよい。また、本実施形態では、排出配管８０が、底板１３ｇの上側に略水平に配置されているが、排出配管８０内に水が溜まらないようにできれば、排出配管８０の配置はこれに限定されず、例えば、排出配管８０が、排水用三方弁６０側から排出配管８０側に向かって水が流れ易いように傾斜して配置されていてもよい。
【００７１】
排出部７２には、第１受入部７５、第２受入部７６及び第３受入部７７から受け入れた湯水を、ケーシング１３外に排出するための排水口７４が形成されている。また、排出部７２は、図１３に示すように、排水口７４を介して貯湯ユニット１０外部に排出される排水（湯水及び膨張水）の通る第４水路７２ｂを有している。なお、本実施形態では、排水口７４は、図１３に示すように、第１接続口７５ａ、第２接続口７６ａ及び第３接続口７７ａとは対向しないように位置している。
【００７２】
中間部７３は、図１２及び図１３に示すように、第１受入部７５及び第２受入部７６と排出部７２との間に介在しており、略水平方向に延びている。また、中間部７３は、排水口７４から排出される排水の流れる第５水路７８を有している。また、第５水路７８は、第１水路７５ｂ、第２水路７６ｂ、第３水路７７ｂ及び第４水路７２ｂと連続しており、第１水路７５ｂ、第２水路７６ｂ、第３水路７７ｂ、第４水路７２ｂ及び第５水路７８は、第１接続口７５ａ、第２接続口７６ａ及び第３接続口７７ａから排水口７４に到る排水路を構成している。なお、以下より、説明の便宜上、第５水路７８において、排水口７４と対向する部分を第５水路７８の第１部分７８ａといい、排水口７４と対向しない部分を第５水路７８の第２部分７８ｂ（導水路に相当）という。
【００７３】
ここで、第５水路７８の第２部分７８ｂの底面Ｆは、図１３に示すように、排出部７２側が低くなるように水平面に対して所定角度（本実施形態では、２．５度）だけ傾斜している。なお、所定角度は、１度以上４度以下であることが好ましく、また、２度以上４度以下であることがより好ましい。
【００７４】
また、中間部７３は、下方に突出した接触部７３ａを有している（図１２及び図１３参照）。配管継手７０は、接触部７３ａと底板１３ｇとが接触するように、底板１３ｇに固定される。このため、中間部７３の大部分は、底板１３ｇとは接触しないように配置される。
【００７５】
配管継手７０がこのような構成であるため、排水用三方弁６０の操作部６３が操作されて弁体６２が第３状態に切り換えられた場合には、貯湯タンク１１から第１貯湯往き管２１ａに流出した湯水は、排出配管８０、第３水路７７ｂ、第５水路７８の主に第１部分７８ａ、及び、第４水路７２ｂを通じて、排水口７４から貯湯ユニット１０外部に排出される。また、沸き上げ運転時に発生した膨張水は、第１排水管３４、第１水路７５ｂを流れ、第５水路７８の第２部分７８ｂから第１部分７８ａに向かって流れ、第４水路７２ｂを通じて、排水口７４から貯湯ユニット１０外部に排出される。さらに、第２供給管５３ｂを流れる湯水は、排水弁５９が制御されて弁体が開成されることで、第２排水管５３ｃ、第２水路７６ｂを流れ、第５水路７８の第２部分７８ｂから第１部分７８ａに向かって流れ、第４水路７２ｂを通じて、排水口７４から貯湯ユニット１０外部に排出される。
【００７６】
（４）制御装置の構成
制御装置は、各サーミスタＴ１〜Ｔ１０や各水量センサＦＬＳ１，ＦＬＳ２等の検出結果に基づき、各弁５４，５５，５９，ＳＶ、ヒートポンプユニット１００及び各ポンプＰ１，Ｐ２，Ｐ３等の各種機器を制御する。また、制御装置は、コントローラ（図示せず）に接続されている。コントローラは、利用者の操作を受け付けるものである。
【００７７】
また、制御装置は、例えば、コントローラが操作されることにより、貯湯タンク１１内の湯水を、ヒートポンプユニット１００の備える水熱交換器により加熱する沸き上げ運転を実行する。沸き上げ運転を実行する場合、制御装置は、ヒートポンプユニット１００の圧縮機、及び、貯湯ユニット１０の沸き上げポンプＰ１を駆動させる。これにより、ヒートポンプユニット１００において冷媒回路を冷媒が循環し、貯湯ユニット１０の貯湯用循環回路２０を貯湯ユニット１０内の湯水が循環することで、貯湯ユニット１０内の湯水の温度を上昇させる沸き上げ（加熱）が行われる。
【００７８】
（５）特徴
（５−１）
本実施形態では、第５水路７８の第２部分７８ｂの底面Ｆは、排出部７２側が低くなるように水平面に対して所定角度（２．５度）だけ傾斜している。このため、第５水路７８の第２部分７８ｂを流れる膨張水又は湯水が、排水口７４に向かって流れやすくなる。これにより、第５水路７８内に水が溜まりにくくなるため、第５水路７８内で水が凍結するおそれを低減することができる。この結果、第５水路７８内で、水の凍結と解凍とが繰り返されるおそれを低減することができる。
【００７９】
これによって、配管継手７０が劣化するおそれを低減することができている。
【００８０】
ところで、第５水路７８内の水が凍結して氷が発生した場合、発生した氷に更に水が触れることで、第５水路７８内で氷が成長し、第５水路７８が閉塞してしまうおそれがある。そこで、本実施形態では、第５水路７８の第２部分７８ｂの底面Ｆを、排出部７２側が低くなるように水平面に対して所定角度（２．５度）だけ傾斜させることで、第５水路７８の第２部分７８ｂを流れる膨張水又は湯水が排水口７４に向かって流れやすくなり、第５水路７８内に水が溜まりにくくなっている。この結果、第５水路７８内で水が凍結するおそれを低減することができるため、第５水路７８内で氷が発生したり、第５水路７８内で氷が成長するという現象が発生したりするおそれを低減することができる。
【００８１】
これによって、第５水路７８が閉塞するおそれを低減することができている。
【００８２】
（５−２）
一般的に、貯湯ユニットにおいて発生する排水は、１箇所にまとめられて貯湯ユニットから排出される。このため、貯湯タンクからの排水の流れる排水管が複数ある場合には、貯湯ユニットの現地施工時に、複数の排水管を、１箇所にまとめる作業が必要となる。
【００８３】
ここで、本実施形態では、第１受入部７５には第１排水管３４が接続され、第２受入部７６には第２排水管５３ｃが接続され、第３受入部７７には排出配管８０が接続される。このため、複数の配管から流れてきた排水を、１つの排水口７４から貯湯ユニット１０外部に排出することができる。したがって、この貯湯ユニット１０では、貯湯タンク１１からの排水の流れる配管の接続作業を容易にすることができる。
【００８４】
（５−３）
本実施形態では、第１受入部７５には、貯湯タンク１１内の湯水が加熱される沸き上げ運転時に発生する膨張水の流れる第１排水管３４が接続される。このため、沸き上げ運転が実行される毎に、温度の高い膨張水が第５水路７８の第２部分７８ｂを流れることになる。ここで、本実施形態では、第５水路７８の第２部分７８ｂの底面Ｆを水平面に対して所定角度だけ傾斜させることで、第５水路７８内で水が凍結しにくくなっているため、第５水路７８の第２部分７８ｂを膨張水が流れても、配管継手７０の劣化の進行が促進されるおそれを低減することができる。
【００８５】
（５−４）
本実施形態では、第５水路７８の第２部分７８ｂの底面Ｆは、排出部７２側が低くなるように水平面に対して２．５度だけ傾斜している。このため、例えば、貯湯ユニット１０の現地施工時に、ケーシング１３の底板１３ｇが水平に設置されていなくても、第５水路７８内に水が溜まるおそれを低減することができている。
【００８６】
（５−５）
本実施形態では、中間部７３の大部分が底板１３ｇと接触しないように、接触部７３ａが設けられている。このように、底板１３ｇと配管継手７０との接触面積を減らすことで、排水路内での水の凍結を抑制することができている。
【００８７】
（６）変形例
（６−１）変形例Ａ
上記実施形態では、中間部７３の大部分が底板１３ｇと接触しないように、接触部７３ａが設けられている。これに加えて、底板１３ｇと接触部７３ａとの間に、シール材が配置されていてもよい。
【００８８】
（６−２）変形例Ｂ
上記実施形態では、第１ケーシング７０ａ及び第２ケーシング７０ｂが、同じ素材で構成されている。これに代えて、少なくとも第２ケーシングが凍結し難い素材で構成されていてもよい。
【００８９】
（６−３）変形例Ｃ
図１５は、第２ケーシング１７０ｂの斜視図である。図１６（ａ）は、長手方向に切断した配管継手１７０の概略縦断面図である。図１６（ｂ）は、図１５のXVI-XVI断面に相当する第２ケーシング１７０ｂの縦断面図である。なお、図１６（ａ）では、上記実施形態の第１ケーシング７０ａに含まれる構成については、上記実施形態と同様の構成であるため、上記実施形態と同様の符号を付している。
【００９０】
上記実施形態では、第５水路７８は、配管継手７０の長手方向に延びており、第５水路７８の第１部分７８ａは、第５水路７８の長手方向端部に位置している。そして、第２部分７８ｂの底面Ｆは、排出部７２側が、すなわち、第１部分７８ａ側が低くなるように水平面に対して所定角度だけ傾斜している。この配管継手７０では、第５水路７８の第２部分７８ｂの底面Ｆが、第１部分７８ａ側が低くなるように第５水路７８の長手方向に沿って傾斜していることで、第５水路７８における水の流れ方向が、第５水路７８の長手方向と同一の方向になっている。このため、第１水路７５ｂや第２水路７６ｂから流れてきた膨張水又は湯水は、第５水路７８の第２部分７８ｂを第５水路７８の長手方向（流れ方向）に沿って流れ、第１部分７８ａや排出部７２に至り、排水口７４から排出される。このように、上記実施形態の配管継手７０では、第５水路７８の第２部分７８ｂの底面Ｆが、第１部分７８ａ側が低くなるように第５水路７８の長手方向に沿って傾斜していることで、第５水路７８の第２部分７８ｂを流れる膨張水又は湯水が排水口７４に向かって流れやすくなり、第５水路７８内に水が溜まりにくくなっている。
【００９１】
これに加えて、第５水路内に水が溜まるおそれをさらに低減するために、第５水路の第２部分の底面が、さらに所定方向に傾斜していてもよい。
【００９２】
例えば、第５水路の第２部分の底面が、排出部（排水口）に向かって下方に傾斜するようにすり鉢状に形成されていてもよい。その一例として、例えば、図１５及び図１６に示すように、第５水路１７８の第２部分１７８ｂの底面Ｆが、排水口１７４から排出される水の流れる流れ方向Ｘに沿って低くなるように傾斜しており、かつ、流れ方向Ｘに交差する方向の中央部Ｆ１側が端部Ｆ２側よりも低くなるように傾斜していてもよい。
【００９３】
第５水路１７８において排水口１７４と対向する第１部分１７８ａは、図１５及び図１６（ａ）に示すように、第５水路１７８の長手方向端部１７８ｃに位置している。
【００９４】
そして、第５水路１７８の第２部分１７８ｂの底面Ｆは、図１６（ａ）に示すように、第１部分１７８ａに近い部分、すなわち、排出部１７２（排水口１７４）に近い部分が、第１部分１７８ａから遠い部分、すなわち、排出部１７２（排水口１７４）から遠い部分よりも低くなるように、水平面に対して所定角度だけ傾斜している。よって、第５水路１７８の長手方向と、第５水路１７８における水の流れ方向Ｘとは、同一の方向になっている。すなわち、第５水路１７８の第２部分１７８ｂの底面Ｆは、排水口１７４から排出される水の流れ方向Ｘに沿って低くなるように傾斜している。
【００９５】
さらに、第５水路１７８の第２部分１７８ｂの底面Ｆは、図１６（ｂ）に示すように、第５水路１７８の長手方向に、すなわち、図１５に示す流れ方向Ｘに交差する方向の中央部Ｆ１側が両端部Ｆ２，Ｆ２側よりも低くなるように水平面に対して所定角度だけ傾斜している。このため、第５水路１７８の第２部分１７８ｂの底面Ｆは、図１６（ｂ）に示すように、両端部Ｆ２，Ｆ２側が中央部Ｆ１側よりも肉厚になっている。
【００９６】
このように、第５水路１７８の第２部分１７８ｂの底面Ｆが、排水口１７４から排出される水の流れる流れ方向Ｘに沿って低くなるように傾斜しており、かつ、流れ方向Ｘに交差する方向の中央部Ｆ１側が両端部Ｆ２，Ｆ２側よりも低くなるように傾斜していることで、例えば、第１水路７５ｂや第２水路７６ｂから端部Ｆ２に膨張水又は湯水が滴下した場合に、滴下した膨張水又は湯水が、端部Ｆ２から中央部Ｆ１に向かって流れやすくなっている。このため、上記実施形態の配管継手７０よりも、さらに、第５水路１７８の第２部分１７８ｂを流れる膨張水又は湯水が排水口１７４に向かって流れやすくなり、第５水路１７８内に水が溜まりに難くなる。この結果、第５水路１７８内で水が凍結するおそれを低減することができるため、第５水路１７８内で氷が発生したり、第５水路１７８内で氷が成長するという現象が発生したりするおそれを低減することができる。
【００９７】
これによって、第５水路１７８が閉塞するおそれを低減することができる。
【００９８】
また、第５水路１７８の第２部分１７８ｂの底面Ｆが、排水口１７４から排出される水の流れる流れ方向Ｘに沿って低くなるように傾斜しており、かつ、流れ方向Ｘに交差する方向の中央部Ｆ１側が両端部Ｆ２，Ｆ２側よりも低くなるように傾斜しているため、例えば、貯湯ユニットの現地施工時に、ケーシングの底板が水平に設置されなかった場合に、上記実施形態の配管継手７０よりも、第５水路１７８内に水が溜まるおそれをさらに低減することができる。
【産業上の利用可能性】
【００９９】
本発明は、導水路が閉塞するおそれを低減することができ、かつ、劣化するおそれを低減することができる排水管継手の発明であり、室外に設置される機器への適用が有効である。
【符号の説明】
【０１００】
１１      貯湯タンク
３１      熱源往き管（水配管）
３４      第１排水管（排水管／第１配管）
５３ｂ    第２供給管（水配管）
５３ｃ    第２排水管（排水管／第２配管）
７０      配管継手（排水管継手）
７２      排出部
７３      中間部
７４      排水口（排出口）
７５      第１受入部
７６      第２受入部
７７      第３受入部（第２受入部）
７８ｂ    第２部分（導水路）
８０      排出配管（排水管／第２配管）
【先行技術文献】
【特許文献】
【０１０１】
【特許文献１】特開２０１０−２０６１号公報
【図１】
0005621763.tif 000002
【図２】
0005621763.tif 000003
【図３】
0005621763.tif 000004
【図４】
0005621763.tif 000005
【図５】
0005621763.tif 000006
【図６】
0005621763.tif 000007
【図７】
0005621763.tif 000008
【図８】
0005621763.tif 000009
【図９】
0005621763.tif 000010
【図１０】
0005621763.tif 000011
【図１１】
0005621763.tif 000012
【図１２】
0005621763.tif 000013
【図１３】
0005621763.tif 000014
【図１４】
0005621763.tif 000015
【図１５】
0005621763.tif 000016
【図１６】
0005621763.tif 000017